(57)【特許請求の範囲】
【請求項１】
建物躯体に複数の方立を左右方向に間隔を置いて取付け、その各方立は上下方向に複数の方立を順次連結したものとし、
前記左右に隣接した方立間に、枠体に面材を装着したユニットを配設し、その枠体の上横材、下横材をブラケットで方立にそれぞれ固着し、
前記上下に隣接した上の方立の下部寄りと下の方立の上部寄りを、前記枠体の左右の縦材に、係止手段で室内外側方向に離れないように、それぞれ係止したことを特徴とするカーテンウオール。
【請求項２】
ユニットは、窓部ユニットと腰部ユニットを備え、
その窓部ユニット、腰部ユニットの枠体の上横材、下横材をブラケットで方立にそれぞれ固着し、
前記腰部ユニットの左右の縦材の長手方向中間の２個所が係止手段で、上の方立の下部寄りと下の方立の上部寄りに、室内外側方向に離れないように係止している請求項１記載のカーテンウオール。
【請求項３】
係止手段は、方立の室外側部に取付けた係止受部材と、縦材の室内側部に取付けた係止部材を備え、
前記係止受部材は、取付部と係止受部を有し、その取付部を方立の室外側部に、前記係止受部を室外側に向けて固着して取付け、
前記係止部材は、取付部と係止部を有し、その取付部を縦材の室内側部に、前記係止部が室内側に向かうように固着して取付け、
前記係止部を前記係止受部に室内外側方向に離れないように係止するようにした請求項１又は２記載のカーテンウオール。
【請求項４】
方立は、その室外側部に、室外側に開口した凹部を有すると共に、その凹部の両側開口縁に内向突部を相対向してそれぞれ有し、
係止受部材の取付部を、前記方立の凹部の底面に固着して係止受部の両側部が前記各内向突部にそれぞれ接するように取付け、
左右に隣接した枠体における隣接した２つの縦材にそれぞれ取付けた２つの係止部材の係止部を、前記１つの係止受部材の係止受部の中間部にそれぞれ係止するようにした請求項３記載のカーテンウオール。
【発明の詳細な説明】
【技術分野】
【０００１】
本発明は、建物躯体に取付けて建物の外壁とするカーテンウオールに関する。
【背景技術】
【０００２】
従来、カーテンウオールとしては建物躯体に方立を取付け、その方立間にガラスを装着したものが種々提案されている。
例えば特許文献１に開示されたように、建物躯体である床スラブに方立の上部をファスナーで取付け、上下に隣接した方立をジョイントスリーブで連結し、左右に隣接した方立間にガラスを装着したカーテンウオールが提案されている。
【特許文献１】特開平１１−１９０１７９号公報
【発明の開示】
【発明が解決しようとする課題】
【０００３】
前述した従来のカーテンウオールにおいては、強風雨時に風荷重を受けると、その方立が弓なりに変形して上下に隣接した上の方立の下部と下の方立の上部がほぼくの字形状に変形し、上下に隣接した方立間に亘って装着してガラスが破損する恐れがある。
このことを防止するために、従来は上の方立の下部と下の方立の上部をジョイントスリーブで連結して風荷重でほぼくの字形状に変形し難くしているが、ジョイントスリーブによる変形防止には限度があり、大きな風荷重を受けた時にほぼくの字形状に変形し、ガラスが破損する恐れがある。
【０００４】
本発明の目的は、上下に隣接した上の方立の下部と下の方立の上部とが、風荷重を受けた時にほぼくの字形状に変形することがないようにしたカーテンウオールとすることである。
【課題を解決するための手段】
【０００５】
本発明は、建物躯体に複数の方立を左右方向に間隔を置いて取付け、その各方立は上下方向に複数の方立を順次連結したものとし、
前記左右に隣接した方立間に、枠体に面材を装着したユニットを配設し、その枠体の上横材、下横材をブラケットで方立にそれぞれ固着し、
前記上下に隣接した上の方立の下部寄りと下の方立の上部寄りを、前記枠体の左右の縦材に、係止手段で室内外側方向に離れないように、それぞれ係止したことを特徴とするカーテンウオールである。
【０００６】
本発明においては、ユニットは、窓部ユニットと腰部ユニットを備え、
その窓部ユニット、腰部ユニットの枠体の上横材、下横材をブラケットで方立にそれぞれ固着し、
前記腰部ユニットの左右の縦材の長手方向中間の２個所が係止手段で、上の方立の下部寄りと下の方立の上部寄りに、室内外側方向に離れないように係止しているようにできる。
このようにすれば、窓部ユニットと腰部ユニットを有していると共に、その各上横材、下横材が方立にブラケットで固着して取付けてあるので、方立を建物躯体に取付けた後に各ユニットを容易に取付けでき、カーテンウオールの施工性を優れたものにできる。
また、腰部ユニットの縦材によって上下に隣接した方立の下部寄り、上部寄りを一体的に連続させて補強しているので、風荷重を受けた時にほぼくの字形状に変形することがない。
【０００７】
本発明においては、係止手段は、方立の室外側部に取付けた係止受部材と、縦材の室内側部に取付けた係止部材を備え、
前記係止受部材は、取付部と係止受部を有し、その取付部を方立の室外側部に、前記係止受部を室外側に向けて固着して取付け、
前記係止部材は、取付部と係止部を有し、その取付部を縦材の室内側部に、前記係止部が室内側に向かうように固着して取付け、
前記係止部を前記係止受部に室内外側方向に離れないように係止するようにできる。
このようにすれば、係止部を係止受部に係止することで、縦材と方立が室内外側方向に離れないように係止できる。
また、係止受部材を方立に工場などであらかじめ取付けると共に、係止部材を縦材に工場などであらかじめ取付けた状態で、施工現場でユニットの枠体を方立に取付けることで、係止部材の係止部を係止受部材の係止受部に係止してユニットを方立に取付けできる。
したがって、施工現場でのユニットの取付けが容易で施工性が向上する。
【０００８】
本発明においては、方立は、その室外側部に、室外側に開口した凹部を有すると共に、その凹部の両側開口縁に内向突部を相対向してそれぞれ有し、
係止受部材の取付部を、前記方立の凹部の底面に固着して係止受部の両側部が前記各内向突部にそれぞれ接するように取付け、
左右に隣接した枠体における隣接した２つの縦材にそれぞれ取付けた２つの係止部材の係止部を、前記１つの係止受部材の係止受部の中間部にそれぞれ係止するようにできる。
このようにすれば、係止受部材を左右の係止部材で兼用しているので、部品点数が少なく取付け作業が簡単である。
また、係止受部材に作用する室外側に向かう力が方立の内向突部に作用するから、その室外側に向かう力を方立で直接支持でき、取付部に作用する力が低減するので、その取付部を簡単に取付けできる。
【発明の効果】
【０００９】
本発明によれば、方立がユニットの枠体で補強されて剛性がアップすると共に、上下に隣接した方立の下部寄り、上部寄りが係止手段で枠体の縦材から室内外側方向に離れないように支持されるので、上の方立の下部と下の方立の上部とが風荷重を受けた時に略くの字形状に変形することがない。
これによって枠体自体が変形し、その枠体に装着した面材が破損することがない。
また、ユニットの枠体の上横材、下横材がブラケットで方立に固着してあるので、その枠体の方立への取付け作業がやり易い。
【発明を実施するための最良の形態】
【００１０】
図１と図２に示すように、建物躯体の左右方向に間隔を置いた複数個所に、複数の方立１が上下方向に連続してそれぞれ取付けてある。例えば、各階の床スラブ２に方立１の上部がファスナー３でそれぞれ取付けてある。
前記上下に隣接した上の方立１の下部と下の方立１の上部はジョイントスリーブ４で連結されている。この方立１の連結部は床スラブ２の近く、いわゆる腰部に位置している。
このようであるから、風荷重を受けると方立１が図２に一点鎖線で示すように弓なりに変形し、上の方立１の下部と下の方立１の上部がほぼくの字形状に変形することになる。
なお、風荷重が負圧の時には方立１は図２に二点鎖線で示すように弓なりに変形し、上の方立１の下部と下の方立１の上部がほぼ逆くの字形状に変形することになる。
【００１１】
前述の方立の変形を防止するために、左右の方立１間にユニット５が取付けてある。
このユニット５は、枠体６に面材７を取付けてある。
前記枠体６は、左右の縦材１０，１０と上横材１１と下横材１２を方形状に連結してある。
前記各枠体６の上横材１１、下横材１２がブラケット２０で方立１に固着して取付けてある。
【００１２】
前記上下に隣接した上の方立１の下部寄りと下の方立１の上部寄り、つまりジョイントスリーブ４で連結した連結部分の上部寄りと下部寄りと、前記枠体６の縦材１０の長手方向の２個所が、係止手段３０で室内外側方向に離れないようにそれぞれ係止してある。
【００１３】
このようにすることで、方立１が枠体６で補強されて剛性がアップすると共に、上下に隣接した方立１の下部寄り、上部寄りが係止手段３０で枠体６の縦材１０から室内外方向に離れないように支持されるので、上の方立１の下部と下の方立１の上部とが風荷重を受けた時に略くの字形状に変形することがない。
【００１４】
すなわち、ユニット５を方立１に簡単に取付けるために、枠体６の上横材１１、下横材１２をブラケット２０で方立１に固着して取付けたので、その枠体６の縦材１０と方立１が風荷重などで室内側方向に自由に変形し易く、上下に隣接した方立１の連結部分の上部寄り、下部寄りがほぼくの字形状に変形し易くなる。
そこで、縦材１０の長手方向の２箇所を上下に隣接した２つの方立１の連結部分の上部寄りと下部寄りにそれぞれ係止して室内外側方向に離れないようにして風荷重で略くの字形状に変形することがないようにした。
【００１５】
この実施の形態では、ユニット５は窓部ユニット５ａと腰部ユニット５ｂを備えて、その腰部ユニット５ｂの枠体６の縦材１０の長手方向の２個所が係止手段３０で、連結部分を境とした上の方立１の下部寄りと下の方立１の上部寄りにそれぞれ係止してある。
また、窓部ユニット５ａの枠体６における上横材１１と腰部ユニット５ｂの下横材１２、窓部ユニット５ａの枠体６における下横材１２と腰部ユニット５ｂの上横材１１がそれぞれ同一のブラケット２０で方立１に固着して取付けてある。
前記腰部ユニット５ｂは、床スラブ２と対向した前述の腰部に取付けられ、床スラブ２と天井などを外から見えないようにする。
前記窓部ユニット５ａは、上下に隣接した腰部ユニット５ｂ間に取付けられる。この窓ユニット５ａの面材７はガラスに限ることはなく、開閉自在な障子とすることもできる。
【００１６】
次に、各部材を図３〜図５に基づいて詳細に説明する。
前記方立１は図４、図５に示すように、室内側の中空部１ａと室外側の凹部１ｂを有し、その凹部１ｂの左右開口端部には内向凸部１ｆが相対向して有している。例えば、シール材１ｃを装着するための溝を形成する部分を有している。
前記縦材１０は、本体１０ａの室外側部に押縁１０ｂを取付けて面材装着用の内向凹部１０ｃを有している。
前記上横材１１と下横材１２は図３に示すように、本体１１ａ，１２ａの室外側部に押縁１１ｂ，１２ｂを取付けて面材装着用の下向凹部１１ｃ、上向凹部１２ｃを有していると共に、本体１１ａ，１２ａの室内側部には凹条溝１１ｄ、１２ｄを有し、この凹条溝１１ｄ，１２ｄは室内側に開口している。
前記左右の内向凹部１０ｃと下向凹部１１ｃと上向凹部１２ｃとに亘って面材７が装着される。
【００１７】
前記ブラケット２０は、図３と図４に示すように、方立１の左右の側面１ｄにブラケット２１の一側片２１ａをボルト・ナット２２でそれぞれ固着して取付け、このブラケット２１の他側片２１ｂを上横材１１、下横材１２の室内側面に接し、各凹条溝１１ｄ，１２ｄに挿入した裏板２３にボルト２４を螺合して固着して取付け、縦材１０の室内側面を方立１の室外側面に押しつけている。
このようであるから、１つのブラケット２０で上横材１１と下横材１２を方立１に取付けでき、ブラケット２０の数を少なくできる。
なお、上横材１１と下横材１２は別々のブラケット２０で方立１に取付けしても良い。
【００１８】
前記係止手段３０は、図５に示すように方立１の室外側部、例えば凹部１ｂの底面を形成する底面板１ｅに固着した係止受部材３１と、縦材１０の室内側部、例えば本体１０ａの面内方向の外側面に１０ｄに固着した係止部材３２を備えている。
前記係止受部材３１は図６と図７に示すように、取付部３１ａと係止受部３１ｂを有し、その取付部３１ａが方立１の底面板１ｅに固着具、例えばねじ３３で固着して取付けられ、係止受部３１ｂは取付部３１ａよりも室外側に向かい、かつ上方に向かっている。
前記係止部材３２は取付部３２ａと係止部３２ｂを有し、その取付部３１ａが縦材１０の外側面１０ｄに固着具、例えばねじ３４で固着して取付けられ、係止部３２ｂは取付部３２ａよりも室内側に向かい、かつ下方に向かっている。
そして、係止部３２ｂが係止受部３１ｂに、係止部材３２が係止受部材３１に対して室内外側方向に離れないように係止している。
【００１９】
このようであるから、係止受部材３１を方立１に工場などで取付けると共に、係止部材３２を縦材１０に工場などで取付けた状態で、施工現場においてユニット５（腰部ユニット５ｂ）を上から下に向けて移動して方立１に取付ける時に、その係止部３２ｂを係止受部３１ｂに係止できる。
したがって、ユニット５（腰部ユニット５ｂ）の取付けが係止手段３０のために面倒となることがなく、施工性が優れたものである。
【００２０】
また、左右に隣接したユニット５（腰部ユニット５ｂ）の隣接した２つの縦材１０にそれぞれ取付けた係止部材３２の係止部３２ｂが、方立１に取付けた１つの係止受部材３１の係止受部３１ｂにそれぞれ係止するようにしてあるので、係止受部材３１が左右の係止手段３０で兼用であるから、部品点数が少なく、取付け作業が簡単である。
【００２１】
前記係止受部材３１は図８に示すように、基板３５の幅方向両端部に鉤形の側板３６を一体に有すると共に、前記基板３５の下端部に横向板３７を一体に有し、その横向板３７の端部に下向板３８を一体に有した形状で、１枚の板材を折曲加工して製作される。前記基板３５と一対の側板３６が前述の係止受部３１ｂで、基板３５が中間部で、側板３６が側部である。
前記下向板３８の穴３８ａからねじ３３を方立１の底面板１ｅに螺合して取付け、前記鉤形の側板３６が方立１の凹部１ｂの開口縁に設けられた内向突部１ｆに接するようにしてある。
このようであるから、係止受部材３１に作用する室外側に向かう力を方立１の内向突部１ｆで支持できるので、下向板３８の取付強度を弱いものにでき、取付部３１ａを簡単に取付けできる。
【００２２】
前記係止部材３２は１枚の板材を加工して基部プレート３９ａと先部プレート３９ｂとの間に下向きの溝３９ｃを有するほぼ鉤形状で、その基部プレート３９ａの上下に孔３９ｄを形成し、その孔３９ｄから前記ねじ３４を縦材１０に螺合するようにして取付部３２ａとしてあると共に、先部プレート３９ｂの室外側端面が前記基板３５の室外側面に接して基板３５が係止受部３１ｂ、先部プレート３９ｂが係止部３２ｂである。前記孔３９ｄは溝３９ｅの底面に形成され、ねじ３４の頭部が基部プレート３９ａから突出しないようにしてある。
【００２３】
図３に示すように、前記上横材１１の押縁１１ｂは横片４０と縦片４１で鉤形状で、その横片４０が本体１１ａの上面に係止して取付けてある。
このような押縁であると、押縁１１ｂを本体１１ａの上面よりも上方から斜め下方に移動して横片４０を本体１１ａの上面に係止して取付けるので、本体１０ａの上面よりも上方に大きな取付けスペースが必要となる。
【００２４】
そこで、下横材１２の押縁１２ｂを図９に示すように、縦片４２の内側面４２ａにおける上下中間部に鉤片４３を有すると共に、下端部に突起４４を有し、その突起４４の上面４４ａを縦片４２の内側面４２ａと直角に対して下向きの斜めとする。
下横材１２の本体１２ａは、その下面の室外側端部に押縁取付片４５を有すると共に、下面と連続して支持突部４６を室外側に向けて有する。
前記押縁取付片４５の上部室内側に、ほぼＶ字形状の突部４７を有している。
前記支持突部４６は押縁取付片４５の室外側面４５ａよりも突出し、その上面４６ａは前記室外側面４５ａと直角に対して下向きの斜めとしてある。
そして、押縁１２ｂの鉤片４３が押縁取付片４５の突部４７に係止すると共に、縦片４２の内側面４２ａと支持突部４６の尖端部が当接して押縁１２ｂが本体１２ａに取付けてある。
【００２５】
このようであるから、矢印ａで示す室外側に向かう力は鉤片４３と突部４７の係止部と、縦片４２の内側面４２ａと支持突部４６の当接部で支持される。
また、矢印ｂで示す面内方向の力は、突起４４の上面４４ａが支持突部４６に当接することで支持できる。
また、鉤片４３はハッカー（シール材受け）を支持することができる。
【００２６】
また、押縁１２ｂは図１０（ａ）に示すように斜めの姿勢として鉤片４３を突部４７の下面４７ａに接すると共に、突起４４の尖端面を押縁取付片４５の室外側面４５ａに接して矢印ｃのように斜め下方に移動して図１０（ｂ）に示す状態とする。
この後に、矢印ｄで示すように鉤片４３によって突起４７の回りに回動して図９に示すように取付ける。
【００２７】
このようであるから、押縁１２ｂを本体１２ａの下面よりも上方に位置させて取付けできるので、本体１２ａの下面よりも下方に大きなスペースが不要である。
なお、この下横材１２の押縁１２ｂの取付けは、本発明のユニット５の枠体に限らず、任意の枠体の上、下、縦材の押縁としても利用できる。
【００２８】
以上の実施の形態では、係止手段３０の係止受部材３１を左右兼用としたが、独立して設けても良い。
また、ユニット５は窓部ユニット５ａと腰部ユニット５ｂの２つとしたが、窓部ユニット５ａと腰部ユニット５ｂを一体として１つのユニット５としても良い。
【図面の簡単な説明】
【００２９】
【図１】本発明の実施の形態を示すカーテンウオールの概略一部外観図である。
【図２】図１のＡ−Ａ縦断面図である。
【図３】ユニット部分の拡大詳細縦断面図である。
【図４】窓部ユニット部分の拡大詳細横断面図である。
【図５】腰部ユニット部分の拡大詳細横断面図である。
【図６】係止手段部分の拡大横断面図である。
【図７】図６のＢ−Ｂ断面図である。
【図８】係止手段の分解斜視図である。
【図９】下横材の押縁取付部分の拡大図である。
【図１０】押縁の取付け動作説明図である。
【符号の説明】
【００３０】
１…方立、１ｂ…凹部、１ｆ…内向突部、２…床スラブ（建物躯体）、４…ジョイントスリーブ、５…ユニット、５ａ…窓部ユニット、５ｂ…腰部ユニット、６…枠体、７…面材、１０…縦材、１１…上横材、１２…下横材、２０…ブラケット、３０…係止手段、３１…係止受部材、３１ａ…取付部、３１ｂ…係止受部、３２…係止部材、３２ａ…取付部、３２ｂ…係止部。
【図１】
0004864919.tif 000002
【図２】
0004864919.tif 000003
【図３】
0004864919.tif 000004
【図４】
0004864919.tif 000005
【図５】
0004864919.tif 000006
【図６】
0004864919.tif 000007
【図７】
0004864919.tif 000008
【図８】
0004864919.tif 000009
【図９】
0004864919.tif 000010
【図１０】
0004864919.tif 000011